(57)【要約】【課題】従来と同等な偽造防止効果と、管理番号を盛り込んだ上で、券面には独自デザインが可能なパーソナル金券シートを提供する。【解決手段】パーソナル金券シート１０は、シート台紙１１と、金券基材１２と、シート台紙１１に金券基材１２を擬似接着する擬似接着構造１３と、金券基材１２の表面に、少なくとも額面１４ａ及び発行団体名１４ｂが予め印刷されたプレ印刷層１４と、金券基材１２の表面に形成された印字を定着させるための印字定着層１５と、金券基材１２の裏面に設けられ、この金券を特定するための機械読取可能なバーコードなどの識別記号部１６とを備えている。印字定着層１５は、金券基材１２の表面の、プレ印刷層１４上に形成され、プレ印刷層１４を被覆するオーバーコート層を兼ねている。【選択図】        図１
2005007767.tif 000002
【特許請求の範囲】
【請求項１】
シート台紙と、
金券基材と、
前記シート台紙に前記金券基材を擬似接着する擬似接着構造と、
前記金券基材の表面に、少なくとも額面及び発行団体名が予め印刷されたプレ印刷層と、
前記金券基材の表面に形成された印字を定着させるための印字定着層と、
を備えたパーソナル金券シート。
【請求項２】
請求項１に記載されたパーソナル金券シートにおいて、
前記金券基材の表面及び／又は裏面に設けられ、この金券を特定するための機械読取可能な識別記号部を備えること、
を特徴とするパーソナル金券シート。
【請求項３】
請求項１又は請求項２に記載されたパーソナル金券シートにおいて、
前記金券基材の表面の前記プレ印刷層上に形成され、前記プレ印刷層を被覆するオーバーコート層を備えること、
を特徴とするパーソナル金券シート。
【請求項４】
請求項１から請求項３までのいずれか１項に記載されたパーソナル金券シートにおいて、
前記金券基材は、プリンタ給紙が可能な定型サイズの用紙であり、
前記金券基材を所定形状に区画して分離する分離予定線を備えること、
を特徴とするパーソナル金券シート。
【請求項５】
請求項１から請求項４までのいずれか１項に記載されたパーソナル金券シートにおいて、
前記シート台紙は、その表出面に形成された印字テスト用の絵柄を備えること、
を特徴とするパーソナル金券シート。
【発明の詳細な説明】
【０００１】
【発明の属する技術分野】
本発明は、入学祝や誕生祝、謝礼として、「お金」の代わりに使用されることの多い商品券などの金券シートに関するものである。
【０００２】
【従来の技術】
商品券は、行政指導もあり、消費者保護のためにユニークな番号を券面の中に設けている。ユニークな番号を設けることにより、発行した金額と、使用された金額を管理し、「債務」の規模を把握するためである。
この債務を管理しておかないと、いわば日本銀行にのみ許されているお金の発行が、例えば、民間の百貨店で可能になってしまうということ、その結果、その百貨店が突然倒産したときに、消費者が損益を被ることになることを防止するためである。
【０００３】
この券面に設けられるユニークな番号には、一般的に、偽造防止が施されており、単純な連続番号にはなっておらず、特殊なＣＤ（チェックデジット）を設けている場合がある。
そして、特殊なＣＤであるが故に、機械読取して番号の出入りを管理しないと、事故や不要なコスト発生の元となってしまう。例えば、手作業（目視）で番号をチェックしようとすると、番号を転記ミスしてしまったり、あるいは、その管理を行い、データ化するために、キーインする作業費がかかってしまうためである。
【０００４】
最近、このような商品券も、いろいろな工夫がなされており、はがきを兼用するもの（例えば、特許文献１）、他の証書と組み合わせたもの（例えば、特許文献２）などが提案されている。
【０００５】
【特許文献１】
特開２０００−３１８３５４号公報
【特許文献２】
特開２００３−１３６８７２号公報
【０００６】
【発明が解決しようとする課題】
さて、この商品券は、一般にお祝いや謝礼として利用されている訳であるが、偽造防止のために、絵柄は、１種類のみに絞られている場合が多い。複数用意するためには、印刷代等のコストが余計にかかってしまうためである。
そのため、入学祝でも誕生祝でも、創立記念の謝礼であっても、オリジナルの絵柄のものはなく、基本的には、ワン・アンド・オンリーにならざるを得なかった。
【０００７】
本発明の課題は、従来と同等な偽造防止効果と、管理番号を盛り込んだ上で、券面には独自デザインが可能なパーソナル金券シートを提供することである。
【０００８】
【課題を解決するための手段】
前記課題を解決するために、請求項１の発明は、シート台紙と、金券基材と、前記シート台紙に前記金券基材を擬似接着する擬似接着構造と、前記金券基材の表面に、少なくとも額面及び発行団体名が予め印刷されたプレ印刷層と、前記金券基材の表面に形成された印字を定着させるための印字定着層と、を備えたパーソナル金券シートである。
【０００９】
請求項２の発明は、請求項１に記載されたパーソナル金券シートにおいて、前記金券基材の表面及び／又は裏面に設けられ、この金券を特定するための機械読取可能な識別記号部を備えること、を特徴とするパーソナル金券シートである。
【００１０】
請求項３の発明は、請求項１又は請求項２に記載されたパーソナル金券シートにおいて、前記金券基材の表面の前記プレ印刷層上に形成され、前記プレ印刷層を被覆するオーバーコート層を備えること、を特徴とするパーソナル金券シートである。
【００１１】
請求項４の発明は、請求項１から請求項３までのいずれか１項に記載されたパーソナル金券シートにおいて、前記金券基材は、プリンタ給紙が可能な定型サイズの用紙であり、前記金券基材を所定形状に区画して分離する分離予定線を備えること、を特徴とするパーソナル金券シートである。
【００１２】
請求項５の発明は、請求項１から請求項４までのいずれか１項に記載されたパーソナル金券シートにおいて、前記シート台紙は、その表出面に形成された印字テスト用の絵柄を備えること、を特徴とするパーソナル金券シートである。
【００１３】
【発明の実施の形態】
以下、図面等を参照して、本発明の実施の形態をあげて、さらに詳しく説明する。
図１は、本発明によるパーソナル金券シートの実施形態を示す図である。
この実施形態のパーソナル金券シート１０は、図１（Ａ）に示すように、シート台紙１１と、金券基材１２と、シート台紙１１に金券基材１２を擬似接着する擬似接着構造１３と、金券基材１２の表面に、少なくとも額面１４ａ及び発行団体名１４ｂが予め印刷されたプレ印刷層１４と、金券基材１２の表面の自由印字領域１９に形成され、印字を定着させるための印字定着層１５とを備えている。
【００１４】
この印字定着層１５は、金券基材１２の表面の、プレ印刷層１４上に形成され、プレ印刷層１４を被覆するオーバーコート層を兼ねている。
また、金券基材１２の裏面には、この金券を特定するための機械読取可能なバーコードなどの識別記号部１６が設けられている。従って、従来と同様にバーコードで管理できる。
【００１５】
この金券基材１２は、プリンタ給紙が可能なＡ４などの定型サイズの用紙であり、金券基材１２を所定形状に区画して分離するハーフカット（分離予定線）１７が形成されている。従って、市販のプリンタで印字したのちに、ハーフカット１７で従来と同様な商品券の形状に分離できる。
また、シート台紙１１は、その表出面（裏面）に形成された印字テスト用の絵柄１８が印刷されている。従って、自由印字領域１９への絵柄を、テスト印字して確認することができる。
【００１６】
次に、本実施形態によるパーソナル金券シート１０の製造方法や使用方法とともに、細部の構成をさらに詳しく説明する。
コート紙を金券基材１２とする表面に、ＵＶオフセットインキで商品券の額面や、発行団体等のプレ印刷層１４の印刷を行う。
この金券基材１２の裏面には、商品券に関する注意事項等に加え、バーコードからなるユニークな番号の識別記号部１６が印刷されている。
【００１７】
次いで、表面のプレ印刷層１４上に、ＩＪ（インクジェット）受容成分（ｄｒｙ）に対して８ｗｔ％のパール顔料を加えてなる印字定着層（ＩＪ受容層）１５を、ｄｒｙ状態で１０μｍの厚さとなるよう設けた。
このように形成したシート１０の裏面に、既知の剥離構造１３を介してシート台紙１１と貼り合せる。
この実施形態では、シート基材１１の裏面に、ＵＶオフセット印刷による剥離インキを設け、ＥＶＡ系接着剤によって商品券（金券基材１２）とシート台紙１１とが剥離可能となるように貼りあわせた。
【００１８】
次いで、この貼りあわせたシートを、シート基材１１面側から金券台紙１２を貫通しない深さでハーフカット１７を設け、商品券形状に区画形成した。
この区画形成したパーソナル金券シート１０に対して、所定の印字データを作成し、図１（ｂ）に示した自由印字領域１９に、市販のＩＪプリンタで自由な絵柄で印字を行うことができた。
【００１９】
本実施形態は、以上のように、配置・構成したことにより、券面には入学祝、誕生祝、創立記念の謝礼などに合わせたオリジナルの絵柄を印字することができ、印刷代等のコストをかけることなく、独自デザインの金券の発行が可能となった。
【００２０】
また、プレ印刷層１４上にパール顔料を有するオーバーコート層１５があり、かつ、オーバーコート層１５には下地にプレ印刷層１４の有無を問わず、ＩＪ印字が可能（ＩＪインキは、水性インキのため、ＵＶオフセットインキ上には、印字しても定着しない。乾燥しても擦ると簡単に剥がれ落ちる）であることから、従来と同等な偽造防止効果を有している。
【００２１】
一方、裏面の識別番号（特殊なバーコード面）部１６は、印字時に表裏面を間違えて印字してしまっても汚損することもなく、さらに、印字の上から擬似接着構造１３の剥離インキを設けたので、偽造変造も施しにくい。
さらに、擬似接着構造（剥離層）１３であるために、機械読取時に読取機内部に汚れが堆積するような問題もない。
【００２２】
（変形形態）
以上説明した実施形態に限定されることなく、種々の変形や変更が可能であって、それらも本発明の均等の範囲内である。
例えば、識別記号部１６は、金券基材１２の表面に設けられていてもよい。
また、印字定着層は、ＩＪ印字のＩＪ受容層を例に説明したが、レーザー印字の場合でも必要である。ＵＶインキ上のレーザー印字は、擦ると容易に脱落してしまうからである。
【００２３】
【発明の効果】
以上詳しく説明したように、本発明によれば、印刷代等のコストをかけることなく、独自デザインの金券を印字して発行することが可能となった。
また、プレ印刷層上にオーバーコート層があり、印字しても定着しないので、従来と同等な偽造防止効果を有している。
さらに、識別記号部は、上面から剥離構造を設けたので、汚損することもなく、偽造変造も施しにくい、という効果がある。
【図面の簡単な説明】
【図１】本発明によるパーソナル金券シートの実施形態を示す図である。
【符号の説明】
１０  パーソナル金券シート
１１  シート台紙
１２  金券基材
１３  擬似接着構造
１４  プレ印刷層
１５  印字定着層（オーバーコート層）
１６  識別記号部
１７  ハーフカット（分離予定線）
１８  印字テスト用絵柄
１９  自由印字領域
【図１】
2005007767.tif 000003